(57)【特許請求の範囲】
【請求項１】
レンズを駆動するレンズ駆動手段と、
前記レンズが設けられている本体筐体とは別の筐体であって、表示画面を隠蔽し、前記表示が面の背面を外部に露出する収納位置と、前記表示画面を操作者側に向ける撮像位置との間で移動可能に、前記本体筐体に対して接続された表示手段と、
前記表示手段の前記表示画面の背面側に取り付けられた音声入力手段
とを有し、
前記表示手段が前記撮像位置にある際に被写体側を向く、前記表示手段の前記表示画面の背面から音声を入力することを特徴とする撮像装置。
【請求項２】
前記音声入力手段は、ステレオマイクユニットである請求項１に記載の撮像装置。
【発明の詳細な説明】
【０００１】
【発明の属する技術分野】
本発明は、撮像装置に関し、より具体的には音声入力手段を具備する撮像装置に関する。
【０００２】
【従来の技術】
図１１は、大型液晶表示ユニットを具備する従来のビデオ・カメラの斜視図、図１２は、大型液晶表示ユニットを開いた状態の斜視図、図１３は、大型液晶表示ユニットを開いた状態で後方から見た斜視図をそれぞれ示す。
【０００３】
３１０はビデオカメラ本体、３１２は大型液晶表示ユニット、３１４は大型液晶表示ユニット３１２をビデオカメラ本体３１０に回動自在に支持し、大型液晶表示ユニット３１２の開閉を可能にするヒンジである。本体３１０の正面には、撮影レンズ３１６とステレオマイクユニット３１８が配置されている。本体３１０の上面には、ズームスイッチ３２０と、各種機能を操作する操作スイッチ３２２がある。本体３１０の後方には、ビューファインダ３２４があり、本体３１０の、大型液晶表示ユニット３１２とは反対側の側面には、本体３１０を握ってホールドするためのリストストラップ３２６が設けられている。撮影（記録）を開始／終了するためのスタート／ストップスイッチ３２８が、通常、本体３１０の背面に配置されている。
【０００４】
ビューファインダ３２４は、周知の通り、撮影レンズ３１６による撮影視野と被写体を確認するのに使用され、ＬＣＤ（液晶表示素子）又はＣＲＴモニタと拡大レンズ系からなる。
【０００５】
大型液晶表示ユニット３１２は大型ＬＣＤからなり、図１２及び図１３に示すようにヒンジ３１４を中心にして開くことにより、撮影者又は使用者は、撮影視野内の画像又は再生画像をより大きく観察できる。これにより、撮影者は、目をビューファインダ３２４から離して撮影することが可能となる。
【０００６】
ステレオマイクユニット３１８により、撮影時、周囲の音声をステレオ入力し、映像と一緒に記録できる。
【０００７】
【発明が解決しようとする課題】
従来例では、以下のような問題がある。即ち、ステレオマイクユニット３１８が本体３１０に内蔵されているので、記録再生駆動装置及びレンズユニットのオートフォーカス／ズーム駆動装置の駆動音、並びに、各種スイツチの操作音がマイクに飛び込んでしまう。
【０００８】
本発明は、このような問題点を解決した撮像装置を提示することを目的とする。
【０００９】
【課題を解決するための手段】
本発明に係る撮像装置は、レンズを駆動するレンズ駆動手段と、前記レンズが設けられている本体筐体とは別の筐体であって、表示画面を隠蔽し、前記表示が面の背面を外部に露出する収納位置と、前記表示画面を操作者側に向ける撮像位置との間で移動可能に、前記本体筐体に対して接続された表示手段と、前記表示手段の前記表示画面の背面側に取り付けられた音声入力手段とを有し、前記表示手段が前記撮像位置にある際に被写体側を向く、前記表示手段の前記表示画面の背面から音声を入力することを特徴とする。
【００１０】
【実施例】
以下、図面を参照して、本発明の実施例を詳細に説明する。
【００１１】
本発明の第１実施例を説明する。図１は、本発明の一実施例の斜視図、図２は、本実施例で大型液晶表示ユニットを開いた状態の斜視図、図３は、大型液晶表示ユニットを開いた状態で後方から見た斜視図をそれぞれ示す。
【００１２】
１０はビデオカメラ本体、１２は大型液晶表示ユニット、１４は大型液晶表示ユニット１２をビデオカメラ本体１０に回動自在に支持し、大型液晶表示ユニット１２の開閉を可能にするヒンジである。本体１０の正面には、撮影レンズ１６が配置され、大型液晶表示ユニット１２の上面には、後述する機構により、大型液晶表示ユニット１２を閉じた状態でも開いた状態でも常に正面を向くステレオマイクユニット１８が配置されている。本体１０の上面には、ズームスイッチ２０と、各種機能を操作する操作スイッチ２２がある。本体１０の後方には、ビューファインダ２４があり、本体１０の、大型液晶表示ユニット１２とは反対側の側面には、本体１０を握ってホールドするためのリストストラップ２６が設けられている。撮影（記録）を開始／終了するためのスタート／ストップスイッチ２８が、通常、本体１０の背面に配置されている。
【００１３】
ビューファインダ２４は、周知の通り、撮影レンズ１６による撮影視野と被写体を確認するのに使用され、ＬＣＤ（液晶表示素子）又はＣＲＴモニタと拡大レンズ系からなる。
【００１４】
大型液晶表示ユニット１２は大型ＬＣＤからなり、図２及び図３に示すようにヒンジ１４を中心にして開くことにより、撮影者又は使用者は、撮影視野内の画像又は再生画像をより大きく観察できる。これにより、撮影者は、目をビューファインダ２４から離して撮影することが可能となる。
【００１５】
ステレオマイクユニット１８により、撮影時、周囲の音声をステレオ入力し、映像と一緒に記録できる。
【００１６】
本体１０の、大型液晶表示パネル１２に対向する側面に、ピン（マイクユニット回転ピン）３０（図２）を立ててあり、大型液晶表示パネル１２の対向する位置には、大型液晶表示パネル１２を閉じたときに、ピン３０が入り込み得る孔３２（図３）を開けてある。ピン３０が孔３２に入っているか否かにより、大型液晶表示パネル１２が閉じられているか否かを機械的に検知できる。
【００１７】
ステレオマイクユニット１８の回転機構、即ち、大型液晶表示ユニット１２が閉じた状態でも開いた上体でも常にステレオマイクユニット１８を正面に向ける機構を説明する。図４は、その概略構成の斜視図を示す。
【００１８】
ギヤ軸３４が、ステレオマイクユニット１８の下面から下方向に延びており、中間にギヤ３６が固定され、更にその下に横方向にピン３８を植立してある。ピン３８の近傍には、ステレオマイクユニット１８の回転を規制するストッパ・ピン４０が大型液晶表示ユニット１２内に固定されて配置されている。
【００１９】
ギヤ３６には、ギヤ・レバー４２の一部に形成したギヤ４４が噛み合っている。ギヤ・レバー４２はギヤ軸４６に固定されている。ギヤ軸４６は、大型液晶表示ユニット１２内で回転自在に保持されている。ギヤ４４の側面から下方向にピン４８が植立されている。ピン４８と、大型液晶表示ユニット１２内に固定されたストッパ・ピン５０との間に、トーション・バネ５２が懸けられている。トーション・バネ５２は、ギヤ４４にｂ１方向に回転する力を常時付与する。
【００２０】
本体１０から出たピン３０は、大型液晶表示ユニット１２を閉じたときには、孔３２に入ってギヤ・レバー４２を押すような長さに形成されている。
【００２１】
図４に示す機構の動作を説明する。図４に示す状態では、大型液晶表示ユニット１２が開いている。トーションバネ５２の作用力により、ギヤ４４はｂ１方向にトルクがかかっており、従って、ギヤ３６はｂ２方向に回転しようし、ステレオマイクユニット１８はｂ３方向に回転しようとする。ギヤピン４０がストッパピン３８に当たる位置で、ステレオマイクユニット１８は停止する。この停止状態で、ステレオマイクユニット１８が大型液晶表示ユニット１２と平行になるように、ギヤピン３８とストッパ・ピン４０を位置決めしておく。
【００２２】
大型液晶表示ユニット１２を閉じると、ピン３０が、孔３２に入ってギヤレバー４２を押し、これにより、トーションバネ４８のトルクに逆らって、ギヤ４４が、ａ１方向に回転する。これに応じてギヤ３６がａ２方向に回転し、ステレオマイクユニット１８もａ３方向に回転する。ステレオマイクユニット１８が大型液晶表示ユニット１２に対して９０度方向に回転した位置で停止するように、ギヤ３６とギヤ４４のギヤ比、及びピン３０の長さを決定しておく。
【００２３】
このようにして、大型液晶表示ユニット１２にステレオマイクユニット１８を取り付け、大型液晶表示ユニット１２を閉じた時と開いた時のどちらでも、ステレオマイクユニット１８がが同じ方向、具体的には正面を向くようにできた。大型液晶表示ユニット１２にステレオマイクユニット１８を取り付けられているので、静かな場所での撮影等、レンズやテープの駆動音などが気になるような状況では、大型液晶表示ユニット１２を開いて撮影することにより、それら駆動音のマイクヘの飛び込みを防止又は抑制できる。
【００２４】
次に、縦形ビデオカメラに適用した本発明の第２実施例を説明する。図５は第２実施例の斜視図、図６は大型液晶表示ユニットを開いた状態の斜視図、図７は、大型液晶表示ユニットを開いた状態で後方から見た斜視図をそれぞれ示す。
【００２５】
１１０はビデオカメラ本体、１１２は大型液晶表示ユニット、１１４は大型液晶表示ユニット１１２をビデオカメラ本体１１０に回動自在に支持し、大型液晶表示ユニット１１２の開閉を可能にするヒンジである。本体１１０の正面には、撮影レンズ１１６が配置され、大型液晶表示ユニット１１２の上面には、第１実施例と同様の機構により大型液晶表示ユニット１１２を閉じた状態でも開いた上体でも常に正面を向くステレオマイクユニット１１８が配置されている。本体１１０の、大型液晶表示ユニット１１２とは反対側の側面にはズームスイッチ１２０が配置され、本体１１０の上面に各種機能を操作する操作スイッチ１２２がある。本体１１０の後方には、ビューファインダ１２４があり、本体１１０の、大型液晶表示ユニット１１２とは反対側の側面には更に、本体１１０を握ってホールドするためのリストストラップ１２６が設けられている。撮影（記録）を開始／終了するためのスタート／ストップスイッチ１２８が、通常、本体１１０の背面に配置されている。
【００２６】
ビューファインダ１２４は、周知の通り、撮影レンズ１１６による撮影視野と被写体を確認するのに使用され、ＬＣＤ（液晶表示素子）又はＣＲＴモニタと拡大レンズ系からなる。
【００２７】
大型液晶表示ユニット１１２は大型ＬＣＤからなり、図６及び図７に示すようにヒンジ１１４を中心にして開くことにより、撮影者又は使用者は、撮影視野内の画像又は再生画像をより大きく観察できる。これにより、撮影者は、目をビューファインダ１２４から離して撮影することが可能となる。
【００２８】
ステレオマイクユニット１１８により、撮影時、周囲の音声をステレオ入力し、映像と一緒に記録できる。
【００２９】
本体１１０の、大型液晶表示パネル１１２に対向する側面に、ピン１３０（図６）を立ててあり、大型液晶表示パネル１１２の対向する位置には、大型液晶表示パネル１１２を閉じたときに、ピン１３０が入り込み得る孔１３２（図７）を開けてある。ピン１３０が孔１３２に入っているか否かにより、大型液晶表示パネル１２が閉じられているか否かを機械的に検知できる。
【００３０】
ステレオマイクユニット１１８の回転機構、即ち、大型液晶表示ユニット１２が閉じた状態でも開いた状態でも常にステレオマイクユニット１８を正面に向ける機構は、図４に示す機構と全く同じであるので、詳細な説明を省略する。
【００３１】
本実施例は、縦形ビデオカメラである点が第１実施例と異なるのみであり、各構成要素の作用は、第１実施例の対応する要素の作用と基本的に同じであるので、詳細な説明を省略する。
【００３２】
横形スチルカメラに似た外形構造のビデオカメラに適用した本発明の第３実施例を説明する。図８は、第３実施例の斜視図、図９は、大型液晶表示ユニットを開いた状態で前方から見た斜視図、図１０は、大型液晶表示ユニットを開いた状態で後方から見た斜視図をそれぞれ示す。
【００３３】
２１０はビデオカメラ本体、２１２は大型液晶表示ユニット、２１４は大型液晶表示ユニット２１２をその上端でビデオカメラ本体２１０に水平軸を中心に回動自在に支持し、大型液晶表示ユニット２１２の開閉を可能にするヒンジである。本実施例では、大型液晶表示ユニット２１２がビュー・ファインダとして使用される。本体２１０の正面には、撮影レンズ２１６が配置され、大型液晶表示ユニット２１２の下端には、ステレオマイクユニット２１８が配置されている。本体２１０の背面にはズームスイッチ２２０が配置され、本体２１０の上面に、各種機能を操作する操作スイッチ２２２と、撮影（記録）を開始／終了するためのスタート／ストップスイッチ２２４が、配置されている。
【００３４】
図８は、大型液晶表示ユニット２１２を閉じた状態を示し、図９及び図１０は、大型液晶表示ユニット２１２を開いた状態をそれぞれ示す。図９及び図１０に示す状態で、撮影を行なえるようになる。このとき、ステレオマイクユニット２１８は、正面からの音声をステレオ入力できる。
【００３５】
この実施例でも、ステレオマイクユニット２１８が大型液晶表示ユニット２１２に取り付けられているので、レンズやテープの駆動音など、本体２１０で発生する音がマイクに入り込むのを防止又は抑制できる。
【００３６】
【発明の効果】
以上の説明から容易に理解できるように、本発明によれば、レンズの駆動音等が音声入力手段に飛び込むのを防止又は抑制できる。
【図面の簡単な説明】
【図１】  本発明の第１実施例の斜視図（大型液晶表示ユニット閉状態）である。
【図２】  第１実施例を大型液晶表示ユニット開状態で前方から見た斜視図である。
【図３】  第１実施例を大型液晶表示ユニット開状態で後方から見た斜視図である。
【図４】  マイクユニット回転機構の概略構成を示す斜視図である。
【図５】  第２実施例の斜視図（大型液晶表示ユニット閉状態）である。
【図６】  第２実施例を大型液晶表示ユニット開状態で前方から見た斜視図である。
【図７】  第２実施例を大型液晶表示ユニット開状態で後方から見た斜視図である。
【図８】  第３実施例の斜視図（大型液晶表示ユニット閉状態）である。
【図９】  第３実施例を大型液晶表示ユニット開状態で前方から見た斜視図である。
【図１０】  第２実施例を大型液晶表示ユニット開状態で後方から見た斜視図である。
【図１１】  従来例の斜視図（大型液晶表示ユニット閉状態）である。
【図１２】  従来例を大型液晶表示ユニット開状態で前方から見た斜視図である。
【図１３】  従来例を大型液晶表示ユニット開状態で後方から見た斜視図である。
【符号の説明】
１０：ビデオカメラ本体
１２：大型液晶表示ユニット
１４：ヒンジ
１６：撮影レンズ
１８：ステレオマイクユニット
２０：ズームスイッチ
２２：操作スイッチ
２４：ビューファインダ
２６：リストストラップ
２８：スタート／ストップスイッチ
３０：ピン（マイクユニット回転ピン）
３２：孔
３４：ギヤ軸
３６：ギヤ
３８：ピン
４０：ストッパ・ピン
４２：ギヤ・レバー
４４：ギヤ
４６：ギヤ軸
４８：ピン
５０：ストッパ・ピン
５２：トーション・バネ
１１０：ビデオカメラ本体
１１２：大型液晶表示ユニット
１１４：ヒンジ
１１６：撮影レンズ
１１８：ステレオマイクユニット
１２０：ズームスイッチ
１２２：操作スイッチ
１２４：ビューファインダ
１２６：リストストラップ
１２８：スタート／ストップスイッチ
１３０：ピン（マイクユニット回転ピン）
１３２：孔
２１０：ビデオカメラ本体
２１２：大型液晶表示ユニット
２１４：ヒンジ
２１６：撮影レンズ
２１８：ステレオマイクユニット
２２０：ズームスイッチ
２２２：操作スイッチ
２２４：スタート／ストップスイッチ
３１０：ビデオカメラ本体
３１２：大型液晶表示ユニット
３１４：ヒンジ
３１６：撮影レンズ
３１８：ステレオマイクユニット
３２０：ズームスイッチ
３２２：操作スイッチ
３２４：ビューファインダ
３２６：リストストラップ
３２８：スタート／ストップスイッチ
【図１】
0003869958.tif 000002
【図２】
0003869958.tif 000003
【図３】
0003869958.tif 000004
【図４】
0003869958.tif 000005
【図５】
0003869958.tif 000006
【図６】
0003869958.tif 000007
【図７】
0003869958.tif 000008
【図８】
0003869958.tif 000009
【図９】
0003869958.tif 000010
【図１０】
0003869958.tif 000011
【図１１】
0003869958.tif 000012
【図１２】
0003869958.tif 000013
【図１３】
0003869958.tif 000014